(57)【特許請求の範囲】
【請求項１】
ユーザの旅行を支援する旅行支援電子ブック装置であって、
旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段と、
前記電子書籍情報に基づいて表示装置の表示画面に電子書籍を表示する電子書籍表示手段と、
前記リンク領域に対する操作を受け付ける操作受付手段と、
前記リンク領域に対する操作が受け付けられたことに応じて、前記パッケージ情報を記憶するパッケージ情報記憶手段から前記パッケージ情報を取得するパッケージ情報取得手段と、
取得された前記パッケージ情報に基づいて、前記旅行計画と前記旅行計画に関連する旅行計画関連情報とを含む旅行計画ページを表示するための旅行計画ページ情報を生成する旅行計画ページ情報生成手段と、
生成された前記旅行計画ページ情報を前記ページ情報に追加して電子書籍情報を更新する電子書籍情報更新手段とを含み、
前記電子書籍表示手段は、
前記電子書籍の１ページとして前記ガイドブックページを表示するガイドブックページ表示手段と、
前記電子書籍の１ページとして前記旅行計画ページを表示する旅行計画ページ表示手段とを含む
ことを特徴とする旅行支援電子ブック装置。
【請求項２】
前記ガイドブックページにおける前記旅行計画ページ情報に関連する情報を掲載する関連箇所を特定する関連箇所特定手段と、
特定された前記関連箇所を電子的な付箋を示す付箋情報を付す箇所として前記旅行計画関連情報に登録する自動付箋付与手段とを含む
請求項１記載の旅行支援電子ブック装置。
【請求項３】
他のユーザが管理する他の端末にて生成された他のユーザの前記旅行計画ページ情報を取得する他ユーザ情報取得手段と、
取得した他のユーザの前記旅行計画ページ情報に基づいて、前記旅行計画ページ情報を変更する旅行計画ページ情報変更手段とを含む
請求項１または請求項２記載の旅行支援電子ブック装置。
【請求項４】
ユーザからリンク領域に対する操作を受け付けたことに応じて、前記パッケージ情報により構成されたパッケージツアーの電子チケットの予約要求を通信ネットワークを介して接続する旅行支援サーバに送信することにより電子チケットを予約する第一チケット予約手段を含む
請求項１から請求項３のうち何れかに記載の旅行支援電子ブック装置。
【請求項５】
ユーザからチケット予約要求操作を受け付けたことに応じて、前記旅行計画ページ情報の内容に基づいて構成されたパッケージツアーの電子チケットの予約要求を通信ネットワークを介して接続する旅行支援サーバに送信することにより電子チケットを予約する第二チケット予約手段を含む
請求項１から請求項３のうち何れかに記載の旅行支援電子ブック装置。
【請求項６】
通信ネットワークを介して接続する旅行支援サーバにより送信されるパッケージ情報の内容を更新するための更新情報を受信する更新情報受信手段と、
受信した更新情報に基づいて前記旅行計画ページ情報を更新する旅行計画ページ情報更新手段とを含む
請求項１から請求項５のうち何れかに記載の旅行支援電子ブック装置。
【請求項７】
前記旅行計画は、旅行行程と、訪問先と、滞在時間とのうち少なくともいずれか１つを含む
請求項１から請求項６のうち何れかに記載の旅行支援電子ブック装置。
【請求項８】
ユーザの旅行を支援する旅行支援電子ブック装置と、当該旅行支援電子ブック装置と通信ネットワークを介して接続する旅行支援サーバとを備える旅行支援システムであって、
前記旅行支援電子ブック装置は、
旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段と、
前記電子書籍情報に基づいて表示装置の表示画面に電子書籍を表示する電子書籍表示手段と、
前記リンク領域に対する操作を受け付ける操作受付手段と、
前記リンク領域に対する操作が受け付けられたことに応じて、前記パッケージ情報を記憶するパッケージ情報記憶手段から前記パッケージ情報を取得するパッケージ情報取得手段と、
取得された前記パッケージ情報に基づいて、前記旅行計画と前記旅行計画に関連する旅行計画関連情報とを含む旅行計画ページを表示するための旅行計画ページ情報を生成する旅行計画ページ情報生成手段と、
生成された前記旅行計画ページ情報を前記ページ情報に追加して電子書籍情報を更新する電子書籍情報更新手段とを含み、
前記電子書籍表示手段は、
前記電子書籍の１ページとして前記ガイドブックページを表示するガイドブックページ表示手段と、
前記電子書籍の１ページとして前記旅行計画ページを表示する旅行計画ページ表示手段とを含む
ことを特徴とする旅行支援システム。
【請求項９】
ユーザの旅行を支援するように旅行支援電子ブック装置に動作制御させるための旅行支援プログラムであって、
旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段を備える前記旅行支援電子ブック装置に、
前記電子書籍情報に基づいて表示装置の表示画面に電子書籍を表示する電子書籍表示処理と、
前記リンク領域に対する操作を受け付ける操作受付処理と、
前記リンク領域に対する操作を受け付けたことに応じて、前記パッケージ情報を記憶するパッケージ情報記憶手段を備える旅行支援サーバから前記パッケージ情報を受信するパッケージ情報受信処理と、
前記リンク領域に対する操作を受け付けたことに応じて、前記パッケージ情報を記憶するパッケージ情報記憶手段から前記パッケージ情報を取得するパッケージ情報取得処理と、
取得した前記パッケージ情報に基づいて、前記旅行計画と前記旅行計画に関連する旅行計画関連情報とを含む旅行計画ページを表示するための旅行計画ページ情報を生成する旅行計画ページ情報生成処理と、
生成した前記旅行計画ページ情報を前記ページ情報に追加して電子書籍情報を更新する電子書籍情報更新処理とを実行させ、
前記電子書籍表示処理にて、
前記電子書籍の１ページとして前記ガイドブックページを表示するガイドブックページ表示処理と、
前記電子書籍の１ページとして前記旅行計画ページを表示する旅行計画ページ表示処理とを
実行させるための旅行支援プログラム。
【発明の詳細な説明】
【技術分野】
【０００１】
本発明は、ユーザの旅行を支援する旅行支援電子ブック装置、旅行支援システム、および旅行支援プログラムに関するものである。
【背景技術】
【０００２】
近年、顧客オリジナルの旅行計画を生成する技術が用いられている。例えば、特許文献１には、サーバと、それを操作可能な端末を備え、サーバは観光地に関する情報が記録されたデータベースと、宿泊施設に関する情報が記録されたデータベースと、オプションツアーに関する情報が記録されたーデータベースを有し、ベースツアーの内容が複数記録されており、端末の操作によりデータベースに記録されている情報を利用してガイドブックを作成する技術が提案されている。
【先行技術文献】
【特許文献】
【０００３】
【特許文献１】特開２００３−０３０２８７号公報
【発明の概要】
【発明が解決しようとする課題】
【０００４】
しかしながら、特許文献１に開示されているような技術は、既に生成された電子的なガイドブックから顧客オリジナルの旅行計画を生成するものではなく、電子的なガイドブックに基づいた旅行計画の生成・管理ができないという課題があった。すなわち、電子的なガイドブックを活かした旅行支援技術が求められていた。
【課題を解決するための手段】
【０００５】
本発明に係る旅行支援電子ブック装置は、ユーザの旅行を支援する旅行支援電子ブック装置であって、旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段と、前記電子書籍情報に基づいて表示装置の表示画面に電子書籍を表示する電子書籍表示手段と、前記リンク領域に対する操作を受け付ける操作受付手段と、前記リンク領域に対する操作が受け付けられたことに応じて、前記パッケージ情報を記憶するパッケージ情報記憶手段から前記パッケージ情報を取得するパッケージ情報取得手段と、取得された前記パッケージ情報に基づいて、前記旅行計画と前記旅行計画に関連する旅行計画関連情報とを含む旅行計画ページを表示するための旅行計画ページ情報を生成する旅行計画ページ情報生成手段と、生成された前記旅行計画ページ情報を前記ページ情報に追加して電子書籍情報を更新する電子書籍情報更新手段とを含み、前記電子書籍表示手段は、前記電子書籍の１ページとして前記ガイドブックページを表示するガイドブックページ表示手段と、前記電子書籍の１ページとして前記旅行計画ページを表示する旅行計画ページ表示手段とを含むことを特徴とする。
【０００６】
前記ガイドブックページにおける前記旅行計画ページ情報に関連する情報を掲載する関連箇所を特定する関連箇所特定手段と、特定された前記関連箇所を電子的な付箋を示す付箋情報を付す箇所として前記旅行計画関連情報に登録する自動付箋付与手段とを含む構成とされていてもよい。
【０００７】
他のユーザが管理する他の端末にて生成された他のユーザの前記旅行計画ページ情報を取得する他ユーザ情報取得手段と、取得した他のユーザの前記旅行計画ページ情報に基づいて、前記旅行計画ページ情報を変更する旅行計画ページ情報変更手段とを含む成とされていてもよい。
【０００８】
ユーザからリンク領域に対する操作を受け付けたことに応じて、前記パッケージ情報により構成されたパッケージツアーの電子チケットの予約要求を通信ネットワークを介して接続する旅行支援サーバに送信することにより電子チケットを予約する第一チケット予約手段を含む構成とされていてもよい。
【０００９】
ユーザからチケット予約要求操作を受け付けたことに応じて、前記旅行計画ページ情報の内容に基づいて構成されたパッケージツアーの電子チケットの予約要求を通信ネットワークを介して接続する旅行支援サーバに送信することにより電子チケットを予約する第二チケット予約手段を含む構成とされていてもよい。
【００１０】
通信ネットワークを介して接続する旅行支援サーバにより送信されるパッケージ情報の内容を更新するための更新情報を受信する更新情報受信手段と、受信した更新情報に基づいて前記旅行計画ページ情報を更新する旅行計画ページ情報更新手段とを含む構成とされていてもよい。
【００１１】
前記旅行計画は、旅行行程と、訪問先と、滞在時間とのうち少なくともいずれか１つを含む構成とされていてもよい。
【００１２】
また、本発明に係る旅行支援システムは、ユーザの旅行を支援する旅行支援電子ブック装置と、当該旅行支援電子ブック装置と通信ネットワークを介して接続する旅行支援サーバとを備える旅行支援システムであって、前記旅行支援電子ブック装置は、旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段と、前記電子書籍情報に基づいて表示装置の表示画面に電子書籍を表示する電子書籍表示手段と、前記リンク領域に対する操作を受け付ける操作受付手段と、前記リンク領域に対する操作が受け付けられたことに応じて、前記パッケージ情報を記憶するパッケージ情報記憶手段から前記パッケージ情報を取得するパッケージ情報取得手段と、取得された前記パッケージ情報に基づいて、前記旅行計画と前記旅行計画に関連する旅行計画関連情報とを含む旅行計画ページを表示するための旅行計画ページ情報を生成する旅行計画ページ情報生成手段と、生成された前記旅行計画ページ情報を前記ページ情報に追加して電子書籍情報を更新する電子書籍情報更新手段とを含み、前記電子書籍表示手段は、前記電子書籍の１ページとして前記ガイドブックページを表示するガイドブックページ表示手段と、前記電子書籍の１ページとして前記旅行計画ページを表示する旅行計画ページ表示手段とを含むことを特徴とする。
【００１３】
また、本発明に係る旅行支援プログラムは、ユーザの旅行を支援するように旅行支援電子ブック装置に動作制御させるための旅行支援プログラムであって、旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する電子書籍情報記憶手段を備える前記旅行支援電子ブック装置に、前記電子書籍情報に基づいて表示装置の表示画面に電子書籍を表示する電子書籍表示処理と、前記リンク領域に対する操作を受け付ける操作受付処理と、前記リンク領域に対する操作を受け付けたことに応じて、前記パッケージ情報を記憶するパッケージ情報記憶手段を備える旅行支援サーバから前記パッケージ情報を受信するパッケージ情報受信処理と、前記リンク領域に対する操作を受け付けたことに応じて、前記パッケージ情報を記憶するパッケージ情報記憶手段から前記パッケージ情報を取得するパッケージ情報取得処理と、取得した前記パッケージ情報に基づいて、前記旅行計画と前記旅行計画に関連する旅行計画関連情報とを含む旅行計画ページを表示するための旅行計画ページ情報を生成する旅行計画ページ情報生成処理と、生成した前記旅行計画ページ情報を前記ページ情報に追加して電子書籍情報を更新する電子書籍情報更新処理とを実行させ、前記電子書籍表示処理にて、前記電子書籍の１ページとして前記ガイドブックページを表示するガイドブックページ表示処理と、前記電子書籍の１ページとして前記旅行計画ページを表示する旅行計画ページ表示処理とを実行させるためのものである。
【発明の効果】
【００１４】
本発明の旅行支援電子ブック装置は、電子的なガイドブックを活かした旅行支援技術を提供することができるようになる。
【図面の簡単な説明】
【００１５】
【図１】旅行支援システムの構成例を示すブロック図である。
【図２】チケット情報の構成例を示す図である。
【図３】電子ブックの構成例を示すブロック図である。
【図４】電子書籍情報の構成例を示す図である。
【図５】旅行計画ページ情報の構成例を示す図である。
【図６】旅行計画ページ情報生成処理の例を示すフローチャートである。
【図７】ガイドブックページの構成例を示す画面図である。
【図８】チケット予約処理の例を示すフローチャートである。
【図９】旅行計画ページの例を示す画面図である。
【図１０】関連情報更新処理の例を示すフローチャートである。
【図１１】旅行計画ページ情報の構成例を示す図である。
【図１２】旅行計画ページの例を示す画面図である。
【図１３】ガイドブックページの例を示す画面図である。
【図１４】街めぐり提案処理の例を示すフローチャートである。
【図１５】旅行計画ページ情報の構成例を示す図である。
【図１６】旅行計画ページの例を示す画面図である。
【図１７】他ユーザ旅行計画反映処理の例を示すフローチャートである。
【発明を実施するための形態】
【００１６】
以下、図面を参照しながら、以下、本発明の一実施の形態について図面を参照して説明する。本発明に係る旅行支援システム１００（以下、システム１００と呼ぶ場合がある。）は、電子書籍表示機能を備えた携帯型の情報端末としての旅行支援電子ブック装置２０〜２Ｎ（Ｎは任意の整数）（以下、電子ブック２０〜２Ｎと呼ぶ場合がある。）と、それぞれの電子ブック２０〜２Ｎと通信ネットワーク３０を介して接続する旅行支援サーバ１０（以下、サーバ１０と呼ぶ場合がある。）とを備えることにより、ユーザの旅行を支援するシステムである。
【００１７】
図１は、本実施の形態に係るシステム１００の構成例を示すブロック図である。図１に示すように、システム１００は、電子ブック２０〜２Ｎのそれぞれと、サーバ１０とが通信ネットワーク３０を介して接続されているシステムである。なお、以下、電子ブック２０〜２Ｎについては、特に必要がある場合を除き、電子ブック２０を用いて詳細な説明を行う。そして、電子ブック２１〜２Ｎについては、電子ブック２０と同様の構成を備えるものとして説明を行う。
【００１８】
まず、本実施の形態に係るサーバ１０について説明する。サーバ１０は、例えば旅行会社や旅行会社の販売代理店によって管理されるサーバであって、例えばＷＷＷサーバなどの情報処理装置によって構成される。また、本例におけるサーバ１０は、電子ブック２０〜２Ｎからの情報提供要求に応じて記憶部１１に記憶された情報を検索するための処理や、検索した結果としての情報を要求元に提供するための処理など、各種処理を実行する機能を有する。
【００１９】
サーバ１０は、記憶部１１を含み、記憶部１１に記憶されたコンピュータプログラム（電子ブック２０に動作制御させるためのコンピュータプログラム）に従い、電子ブック２０からの要求に応じた各種処理を実行するための各種の機能を有する。
【００２０】
記憶部１１は、チケット情報を格納するチケット情報記憶部１２を含む。
【００２１】
チケット情報記憶部１２は、パッケージ情報を含むチケット情報を記憶する記憶媒体である。すなわち、チケット情報記憶部１２は、パッケージ情報記憶部としての記憶媒体である。図２は、チケット情報記憶部１２に格納されるチケット情報の構成例を示す図である。図２に示すように、チケット情報は、チケットＩＤと、パッケージ情報と、実施期間と、空き状況と、予約ユーザ（ユーザＩＤ）とを含む。なお、本例のチケット情報におけるチケットＩＤ、パッケージ情報、および実施期間については、システム１００やサーバ１０の管理者によって設定される。
【００２２】
チケットＩＤは、チケット情報を一意に特定するための情報である。
【００２３】
パッケージ情報は、パッケージされた旅行計画（パッケージツアー）に関する情報である。本例のパッケージ情報は、具体的には、パッケージ情報は、旅行行程と、訪問施設と、滞在時間とを含む。なお、ここで、旅行行程とは、旅行の行程を示す情報である。本例では、目的地や、集合場所や、到着時刻や、移動手段や、集合時刻などを含む。また、訪問施設とは、訪問先となる施設を示す情報である。訪問施設は、訪問施設周辺の施設を含むように構成されていてもよい。また、滞在時間とは、目的地に滞在する時間を示す情報である。
【００２４】
実施期間は、パッケージツアーが実施される日を特定するための情報である。
【００２５】
空き状況は、対応するチケットの空き状況を特定するための情報である。
【００２６】
予約ユーザは、対応するチケットを予約したユーザのユーザＩＤを特定するための情報である。予約ユーザが登録されるタイミングについては、後で詳しく説明する。
【００２７】
次に、本実施の形態に係る電子ブック２０について説明する。図３は、電子ブックの構成例を示すブロック図である。図３に示すように、電子ブック２０は、制御部４０と、記憶部５０と、表示部６０と、通信部７０と、入力部８０とを含む。
【００２８】
制御部４０は、例えばＣＰＵ（中央処理装置）により構成され、記憶部５０に記憶されたコンピュータプログラム（電子ブック２０に動作制御させるためのコンピュータプログラム）に従い、電子ブック２０を構成する各要素を統括制御し、各種の処理（例えば、電子書籍を表示画面に表示する処理や、ページめくり処理など）を実行するための各種の機能を有する。
【００２９】
本実施の形態における制御部４０は、表示処理部４１と、入力情報処理部４２と、通信処理部４３と、旅行計画ページ情報生成処理部４４と、関連情報更新処理部４５とを含む。
【００３０】
表示処理部４１は、表示部６０に各種情報（例えば、電子書籍など）を表示させる処理を実行させる機能を有する。
【００３１】
入力情報処理部４２は、入力部８０から入力される情報を受信し、受信した情報に応じた各種処理を実行させる機能を有する。
【００３２】
通信処理部４３は、通信部７０に各種情報（例えば、パッケージ情報や、他のユーザ固有の旅行計画ページ情報など）の送受信を行わせる処理を実行させる機能を有する。
【００３３】
旅行計画ページ情報生成処理部４４は、通信部６０が受信したパッケージ情報に基づいて旅行計画ページ情報を生成する処理や、生成した旅行計画ページ情報を電子書籍情報に追加する処理を実行する機能を有する。各処理の詳細は、後で詳しく説明する。
【００３４】
関連情報更新処理部４５は、各種情報（例えば、他のユーザ固有の旅行計画ページ情報や、旅行計画関連情報に関連する情報など）を収集する処理や、収集した各種情報に基づいて旅行計画ページ情報を更新する処理や、更新した旅行計画ページ情報に基づいて電子書籍情報を更新する処理などを実行する機能を有する。例えば、関連情報更新処理部４５は、コンピュータネットワーク上に存在する情報の抽出処理や、サーバ１０を介して他の電子ブックに格納される情報の抽出処理などを実行する。
【００３５】
記憶部５０は、各種情報（例えば、コンピュータプログラムや、電子書籍情報など）を記憶する記憶媒体である。本例の記憶部５０は、電子書籍情報記憶部５１と、旅行計画ページ情報記憶部５２と、添付パッケージ情報記憶部５３とを含む。
【００３６】
電子書籍情報記憶部５１は、電子書籍を構成する各ページを表示するためのページ情報を含む電子書籍情報を格納する記憶媒体である。
【００３７】
図４は、電子書籍情報記憶部５１に格納される電子書籍情報の構成例を示す図である。図４に示すように、電子書籍情報は、書籍ＩＤと、ページ情報とを含む。
【００３８】
書籍ＩＤは、電子書籍を一意に特定可能なＩＤ情報である。
【００３９】
ページ情報は、ページ種と、ページ番号と、本文データと、リンク領域掲載座標と、チケットＩＤ、旅行情報と、付箋箇所とを含む。
【００４０】
ページ種は、ページの種類を特定するための情報であり、例えば、ガイドブックページや、旅行計画ページなどを含む。
【００４１】
ページ番号は、ページの頁数を特定するための情報である。
【００４２】
本文データは、ページに表示される文章や画像を特定するための情報であり、例えば、テキストデータや、画像データなどで構成される。
【００４３】
リンク領域掲載座標は、旅行情報の内容に対応する旅行計画が組まれたパッケージ情報の要求操作のためのリンク領域を示すための座標データである。本例におけるリンク領域掲載座標は、座標（Ａ，Ｂ）（Ｃ，Ｄ）で表し、記事が掲載されている領域の左上隅の座標を座標（Ａ，Ｂ）とし、右下隅の座標を座標（Ｃ，Ｄ）とするように構成されている。なお、本文データを形成するテキストデータや画像データがＵＲＬを含む構成とする場合には、本文データ中にＵＲＬを含める構成としてもよい。
【００４４】
チケットＩＤは、チケット情報記憶部１２に格納されるチケット情報を特定するための情報である。
【００４５】
旅行情報は、ページ内に掲載される旅行に関する情報（例えば、観光情報やおすすめスポットなど）を特定するための情報である。図４に示すように、本例では、「豊川稲荷」に関する情報が記載されているページであれば、「豊川稲荷」という情報が登録されるように構成されている。
【００４６】
付箋箇所は、ページに貼りつけられる電子的な付箋の貼付箇所を特定するための情報である。本例の付箋箇所は、電子ブック２０が実行する付箋付与処理により登録される。
【００４７】
旅行計画ページ情報記憶部５２は、パッケージ情報に基づいて生成された旅行計画ページ情報を格納する記憶媒体である。
【００４８】
図５は、旅行計画ページ情報記憶部５２に格納される旅行計画ページ情報の構成例を示す図である。図５に示すように、旅行計画ページ情報は、サーバ１０から送信されるパッケージ情報に基づいて生成される情報であって、パッケージ情報と、関連情報とを含む。なお、パッケージ情報については上述したパッケージ情報と同様の構成であるため、詳しい説明は省略する。
【００４９】
関連情報は、生成した旅行計画ページに対して関連情報更新処理が実行されることにより登録される情報である。
【００５０】
関連情報（旅行計画関連情報）は、旅行計画に関連する情報であって、関連情報更新処理により登録される情報である。本例の関連情報は、天気と、クーポンと、付箋情報とを含む。
【００５１】
天気は、滞在地における天気を特定するための情報である。
【００５２】
クーポンは、目的地や、訪問施設などに対応するお得な情報（例えば、割引きサービスや、プレゼントサービスに関する情報）を特定するための情報である。
【００５３】
付箋情報は、ガイドブックに付した電子的な付箋を特定するための情報であって、ページ番号と、付箋箇所とを含む。
【００５４】
添付パッケージ情報記憶部５３は、電子書籍の購入時に添付されたパッケージ情報を格納する記憶媒体である。すなわち、添付パッケージ情報記憶部５３は、パッケージ情報記憶部としての記憶媒体である。本例における添付パッケージ情報記憶部５３が記憶するパッケージ情報は、定番化された（または、代表的な）旅行計画がパッケージされた情報である。すなわち、他のパッケージ情報（例えば、チケット情報記憶部１２に格納されるパッケージ情報）にてパッケージされた旅行計画と比べてチケットの予約頻度が高い旅行計画に関するパッケージ情報が格納されることとなる。このような構成によれば、サーバ１０を介することによるサーバ１０および電子ブック２０の処理負担が軽減されることとなる。なお、パッケージ情報の構成は、上述したパッケージ情報と同様の構成であるため、詳しい説明は省略する。
【００５５】
表示部６０は、各種情報をユーザが認識可能な形で出力する機能を備え、電子書籍を表示する表示装置（例えば、ディスプレイ装置や、モニタなど）により構成される。
【００５６】
通信部７０は、インターネットなどの通信ネットワークに無線あるいは有線によって接続し、通信ネットワーク３０に接続されたサーバ１０などの外部の装置と情報の送受信を行うための機能を有する。
【００５７】
入力部８０は、制御部４０に対する各種指示をユーザから受け付ける機能を備える。本例では、入力部８０は、例えば、表示部６０の表示画面上に表示される操作ボタンなどによって構成される。
【００５８】
次に、システム１００が実行する旅行計画ページ情報生成処理について図を参照して説明する。図６は、システム１００が実行する旅行計画ページ情報生成処理の例を示すフローチャートである。図６に示すように、旅行計画ページ情報生成処理は、電子ブック２０の表示装置に表示する旅行計画ページを生成するための処理である。
【００５９】
大まかにいうと、旅行計画ページ情報生成処理は、ガイドブックに掲載された情報に基づいて構成される旅行計画のチケットを予約し、予約したチケットの情報をガイドブック内の１ページ（すなわち、旅行計画ページ）として表示するための処理である。以下、旅行計画ページ情報生成処理について詳しく説明する。
【００６０】
旅行計画ページ情報生成処理において、先ず、電子ブック２０は、ユーザの操作に応じてガイドブックページ（電子書籍の１ページ）を表示画面に表示する（ステップＳ１０１）。本例では、電子ブック２０が、ユーザの操作に応じて電子書籍を端末にインストール（購入）し、電子書籍を起動させるためのアプリケーションによりガイドブックページを表示しているものとする。
【００６１】
図７は、電子ブック２０が表示する電子書籍のガイドブックページの構成例を示す画面図である。図７に示すように、ガイドブックページ３００は、旅行に関する旅行情報３０１と、リンク領域３０２とを含む。リンク領域３０２は、旅行情報の内容に対応する旅行計画が組まれたパッケージ情報の要求操作のための領域である。なお、ガイドブックページ３００は、リンク領域３０２としてチケット予約専用のＵＩ（例えば、「チケット予約へＧＯ」などと表示されるアイコン）を含むように構成されていてもよい。
【００６２】
ガイドブックページ３００を表示画面に表示すると、電子ブック２０は、ユーザからリンク領域３０２の選択を受け付ける（ステップＳ１０２）。電子ブック２０は、ユーザからリンク領域３０２の選択を受け付けない場合には、以下で説明する処理には移行しない。すなわち、本例では、ユーザからリンク領域３０２の選択を受け付けたことをトリガとして、以下の処理が実行される。
【００６３】
リンク領域３０２の選択を受け付けると、電子ブック２０は、リンク領域３０２に対応するチケットＩＤを特定する（ステップＳ１０３）。すなわち、電子ブック２０が、電子書籍情報を参照して、選択されたリンク領域３０２に対応するチケットＩＤを特定する。本例であれば、リンク領域３０２が選択されているため、図４に示すように、電子ブック２０が、チケットＩＤ「Ｐ３０５」を特定する。
【００６４】
チケットＩＤを特定すると、電子ブック２０は、特定したチケットＩＤが添付パッケージ情報記憶部５３に格納される添付パッケージ情報に対応するか否かを判定する（ステップＳ１０４）。すなわち、電子ブック２０は、特定したチケットＩＤが、添付パッケージ情報記憶部５３に記憶された添付パッケージ情報におけるチケットＩＤに該当するか否かを判定する。
【００６５】
特定したチケットＩＤが添付パッケージ情報に対応すると判定したとき（ステップＳ１０４のＹ）には、電子ブック２０は、添付パッケージ情報記憶部５３に記録された当該パッケージ情報を取得する（ステップＳ１０５）。
【００６６】
一方で、特定したチケットＩＤが添付パッケージ情報に対応しないと判定したとき（ステップＳ１０４のＮ）には、システム１００は、チケット予約処理を実行する（ステップＳ２００）。
【００６７】
図８は、チケット予約処理の例を示すフローチャートである。チケット予約処理では、サーバ１０と電子ブック２０とが各種情報を送受信することにより、パッケージツアー予約のための処理が実行される。なお、以下で説明するチケット予約処理では、ユーザによりチケットが予約される場合を例にして説明をする。
【００６８】
チケット予約処理において、先ず、電子ブック２０は、サーバ１０に対して、ステップＳ１０３で特定したチケットＩＤと、ユーザ情報とを提示したパッケージ情報の送信要求を行う（ステップＳ２０１）。本例では、あらかじめシステム１００（電子ブック２０およびサーバ１０を含むシステム１００）にユーザ情報が登録されており、電子ブック２０は、登録しているユーザ情報を含めてパッケージ情報の送信要求を行う。そして、サーバ１０においては、受信したユーザ情報に基づいてチケットを販売するユーザを特定し、特定したユーザに対して予約処理を行い、チケットの予約を完了させる。なお、ユーザ情報には、チケットを予約するのに必要なユーザに関する各種情報（例えば、ユーザの氏名、住所、クレジットカード番号、ユーザＩＤ、パスワードなど）が含まれる。
【００６９】
チケット情報の送信要求を受け付けたサーバ１０は、日程などの詳細な情報を確定させるために、実施期間や空き状況に関する詳細情報を送信する（ステップＳ２０２）。
【００７０】
詳細情報を受信した電子ブック２０は、日程などの詳細な情報を表示装置に表示し、ユーザからの日程などに関する情報の選択操作を受け付ける（ステップＳ２０３）。
【００７１】
ユーザから選択を受け付けると、電子ブック２０は、受け付けた選択に関する情報をサーバ１０に対して送信する（ステップＳ２０４）。
【００７２】
ユーザの選択に関する情報を受信したサーバ１０は、ユーザの選択に応じて更新したパッケージ情報（例えば、日程部分をユーザの選択に合わせて更新したパッケージ情報）を、電子ブック２０に対して送信する（ステップＳ２０５）。
【００７３】
サーバ１０は、送信に用いたパッケージ情報に対して予約ユーザのユーザＩＤを登録する（ステップＳ２０６）。なお、登録されたユーザＩＤは、同一のパッケージ情報において、日程別に登録されるように構成されていてもよい。
【００７４】
システム１００は、予約ユーザのユーザＩＤをパッケージ情報に登録すると、チケット予約処理を終了して、旅行計画ページ情報生成処理に戻る。
【００７５】
旅行計画ページ情報生成処理に戻ると、電子ブック２０は、サーバ１０から送信されるパッケージ情報を取得する（ステップＳ１０５）。
【００７６】
取得したパッケージ情報に基づいて、電子ブック２０は、旅行計画ページ情報を生成する（ステップＳ１０６）。すなわち、電子ブック２０は、パッケージ情報と、旅行計画に関する関連情報（例えば、天気に関する情報や、クーポンに関する情報や、電子的な付箋に関する情報など）を含む旅行計画ページを表示するための旅行計画ページ情報を生成する。
【００７７】
図９は、生成された旅行計画ページ情報に基づいて表示される旅行計画ページの例を示す画面図である。図９に示すように、旅行計画ページ画面３１０は、日程、目的地、到着場所、集合場所、到着時刻、集合時刻、および移動手段を含む旅行行程３１１が表示される。なお、本例では、パッケージ情報が送信されたときには、未だ関連情報を更新する処理が実行されていない状態であるため、表示される旅行計画ページは、パッケージ情報における旅行行程に基づいた情報のみが表示されることとなる。なお、サーバ１０が、クーポンなどのあらかじめ取得可能な情報を取得しておき、パッケージ情報の送信と併せて取得済みの情報を送信するように構成されていてもよい。
【００７８】
旅行計画ページ情報を生成すると、電子ブック２０は、生成した旅行計画ページ情報を電子書籍情報に追加する（ステップＳ１０７）。本例では、電子ブック２０は、電子書籍を構成する各ページの１つとなるように、旅行計画ページをページ情報に含ませて電子書籍情報を更新する。具体的に言えば、総ページ数が１９ページで構成されている電子書籍は、１ページ分の旅行計画ページを追加する処理が実行されると、総ページ数が２０となる電子書籍に更新される。追加されるページは、対応する旅行情報が掲載されているページの次のページに追加されるように構成されてもよいし、最後のページに追加されるように構成されてもよい。
【００７９】
電子書籍情報に生成した旅行計画ページ情報を登録すると、電子ブック２０は、関連情報更新処理を実行する（ステップＳ３００）。
【００８０】
図１０は、関連情報更新処理の例を示すフローチャートである。図１０に示すように、関連情報更新処理は、電子ブック２０が定期的に実行する処理であって、電子書籍情報に登録された旅行計画ページ情報における関連情報を更新する処理が実行される。
【００８１】
関連情報更新処理において、先ず、電子ブック２０は、旅行予定日の予定時刻における天気に関する情報を取得し、取得した情報を旅行計画ページ情報に登録する（ステップＳ３０１）。天気に関する情報は、ＷＥＢページなどから取得するように構成される。
【００８２】
天気情報を登録すると、電子ブック２０は、クーポン情報を取得し、取得したクーポン情報を旅行計画ページ情報に登録する（ステップＳ３０２）。クーポン情報は、クーポン情報を管理するＷＥＢページから、旅行行程および訪問先のうち少なくとも何れか一方に設定されている地点の近傍に位置する店舗のクーポン情報などを取得するように構成される。
【００８３】
クーポン情報を登録すると、電子ブック２０は、付箋付与処理を実行する（ステップＳ３０３）。付箋付与処理では、旅行計画の内容と関連する情報であって、ガイドブックページに掲載される情報に対して電子的な付箋を付与する処理を実行するとともに、旅行計画ページから直接に旅行計画に関連する情報を掲載するガイドブックページにジャンプすることを可能とする処理が実行される。
【００８４】
付箋付与処理は、例えば、電子ブック２０は、ページ情報の旅行情報を参照して、旅行計画に関連する情報（例えば、パッケージ情報における訪問施設）を掲載する旅行情報が掲載されているページ番号および座標を特定する。特定したページ番号および座標に基づいて、電子ブック２０は、付箋を付与する付箋箇所を特定する。そして、電子ブック２０は、特定した付箋箇所を、対応するページ情報および関連情報に登録する。登録される訪問施設それぞれについて付箋付与処理を実行すると、電子ブック２０は、付箋付与処理を終了する。
【００８５】
付箋付与処理を終了すると、電子ブック２０は、関連情報更新処理を終了し、旅行計画ページ情報生成処理に戻る。なお、本例では、天気情報を登録し、クーポン情報を登録し、付箋情報を登録する構成としているが、登録の順番は問わない。また、本例における関連情報更新処理は、定期的に実行される構成されているが、所定のタイミングでのみ更新されるように構成されていてもよい。
【００８６】
図１１は、図４に示す旅行計画ページ情報に対して、関連情報更新処理を実行したときの旅行計画ページ情報の構成例を示す図である。図１１に示すように、旅行計画ページ情報における関連情報に、関連情報更新処理において特定された各種情報（例えば、天気、クーポン、付箋箇所など）が登録される。
【００８７】
図１２は、図１１に示す旅行計画ページ情報に基づいて表示される旅行計画ページの例を示す画面図である。図１２に示すように、旅行計画ページ画面３１０には、天気やクーポンに関する情報が追加された旅行行程３１２が表示される。本例では、クーポンに関する情報は、「クーポン情報」と表示するアイコン３１３を設け、当該アイコン３１３に対する押下げ操作を受け付けることによって、クーポン情報を表示する構成としているが、クーポンと対応する訪問先の近傍にクーポンに関する情報を表示する構成とされていてもよい。なお、一点鎖線で示されるリンク領域３１４は、リンク先が存在することが把握できるように構成されていてもよい。
【００８８】
図１３は、図１２におけるリンク領域３１４が選択されたときに表示されるガイドブックページの例を示す画面図である。図１３に示すように、ガイドブックページ３２０には、付箋３２１と、詳細情報３２２とが表示される。
【００８９】
関連情報更新処理を終了し、旅行計画ページ情報生成処理に戻ると、電子ブック２０は、街めぐり提案処理を実行する（ステップＳ４００）。
【００９０】
図１４は、街めぐり提案処理の例を示すフローチャートである。図１４に示すように、街めぐり提案処理においては、集合時間までに間に合うように周辺施設を回るルートを提案する処理が実行され、ユーザの操作に応じて、提案内容を旅行計画ページ情報に反映する処理が実行される。
【００９１】
街めぐり提案処理において、先ず、電子ブック２０は、所定の閾値（例えば、２時間）を超える滞在時間が設定されている区間が存在するか否かを判定する（ステップＳ４０１）。なお、本例では、滞在時間の長さに応じて街めぐり提案処理を実行するか否かを判定する構成としているが、このような構成に限らず、例えば、滞在時間の長さに関わらず、ユーザから所定の区間について街めぐり提案処理を要求する操作を受け付けた場合に、当該所定の区間についての街めぐり提案処理を実行する構成とされていてもよい。
【００９２】
所定の閾値を超えている区間が存在しないと判定したとき（ステップＳ４０１のＮ）には、電子ブック２０は、街めぐり提案処理を終了する。
【００９３】
一方で、所定の閾値を超えている区間が存在すると判定したとき（ステップＳ４０１のＹ）には、電子ブック２０は、当該区間の周辺地図情報およびスポット情報を取得する（ステップＳ４０２）。具体的には、電子ブック２０は、周辺地図情報およびスポット情報を格納するＷＥＢページなどから周辺地図情報およびスポット情報を取得する。
【００９４】
周辺地図情報およびスポット情報を取得すると、電子ブック２０は、集合時間までに間に合うように周辺施設を回るルートを提案する（ステップＳ４０３）。例えば、電子ブック２０は、取得した各種情報に基づいて、到着時刻に到達場所をスタートし、集合時刻に集合場所に到着可能であって、周辺施設を１以上経由する複数のルートを演算する。なお、本例では、電子ブック２０が各種情報の取得およびルートの演算を実行する構成としているが、サーバ１０などの他の情報演算装置に実行させるように構成されていてもよい。この場合においては、電子ブック２０は、各種演算を実行するための情報（例えば、旅行計画ページ情報、または到着時刻、到達場所、集合時刻、集合場所、および滞在時間）をサーバ１０などの情報演算装置に送信するように構成されていればよい。
【００９５】
１以上の提案ルートを特定すると、電子ブック２０は、表示装置に特定したルートを表示し（ステップＳ４０４）、ユーザから提案を反映させるか否かの操作を受け付ける（ステップＳ４０５）。
【００９６】
電子ブック２０は、ユーザから提案を反映させない旨の操作（例えば、ＮＯボタンの押下げ操作）を受け付けたとき（ステップＳ４０５Ｎ）には、街めぐり提案処理を終了する。
【００９７】
一方で、電子ブック２０は、ユーザから提案を反映させる旨の操作を受け付けたとき（ステップＳ４０５のＹ）には、旅行計画ページ情報に反映させるルートを組み込んで旅行計画ページ情報を更新する（ステップＳ４０６）。すなわち、電子ブック２０は、到着場所から集合場所までの間に、ユーザが反映させることを希望したルートを割り込ませる処理を実行する。
【００９８】
図１５は、図１１に示す旅行計画ページ情報に対して、ユーザが反映させることを希望したルートを割り込ませる処理を実行したときの旅行計画ページ情報の構成例を示す図である。図１５に示すように、旅行計画ページ情報が、ホテルに到着してからホテルを出発するまでの間に、観光スポットやカフェなどを巡る旅行計画を含むように更新される。
【００９９】
図１６は、図１５に示す旅行計画ページ情報に基づいて表示される旅行計画ページの例を示す画面図である。図１６に示すように、旅行計画ページ画面３１０には、追加された旅行行程３１５を表示する。
【０１００】
旅行計画ページ情報に反映させるルートを組み込んで旅行計画ページ情報を更新すると、電子ブック２０は、街めぐり提案処理を終了し、旅行計画ページ情報生成処理に戻る。そして、電子ブック２０は、他ユーザ旅行計画反映処理を実行する（ステップＳ５００）。
【０１０１】
図１７は、他ユーザ旅行計画反映処理の例を示すフローチャートである。図１７に示すように、他ユーザ旅行計画反映処理では、他のユーザが管理する他の端末にて生成された他のユーザ固有の旅行計画ページ情報を取得し、取得した他ユーザ固有の旅行計画ページ情報に基づいて、旅行行程を変更する処理が実行される。
【０１０２】
他ユーザ旅行計画反映処理において、先ず、電子ブック２０は、ユーザから他ユーザの旅行計画ページ情報の取得要求操作を受け付ける（ステップＳ５０１）。
【０１０３】
ユーザから他ユーザの旅行計画ページ情報の取得要求操作を受け付けると、電子ブック２０は、他ユーザ固有の旅行計画ページ情報の取得要求をサーバ１０に対して送信する（ステップＳ５０２）。具体的には、電子ブック２０は、ユーザから取得要求操作としての他ユーザのユーザＩＤの指定を受け付けて、受け付けた他ユーザのユーザＩＤをサーバ１０に送信する。
【０１０４】
電子ブック２０からユーザＩＤを受信したサーバ１０は、受信したユーザＩＤが設定されている電子ブックのユーザを特定し、当該電子ブックに対して旅行計画ページ情報の送信許可要求を送信する（ステップＳ５０３）。
【０１０５】
サーバ１０は、送信許可要求を受信した電子ブックから許可するか否かの通知を受信する（ステップＳ５０４）と、当該通知（結果）を電子ブック２０に送信する（ステップＳ５０５）。
【０１０６】
電子ブック２０は、通知（結果）を受信すると、通知が開示を許可する旨の通知であるか否かを判定する（ステップＳ５０６）。開示しない旨の通知であったとき（ステップＳ５０６Ｎ）には、電子ブック２０は、その旨を表示して他ユーザ旅行計画反映処理を終了する。
【０１０７】
一方で、開示する旨の通知であった場合には、電子ブック２０は、通知とともに送信されてきた他ユーザの旅行計画ページ情報を受信し、受信した旅行計画ページ情報に基づいたページを表示する（ステップＳ５０７）。
【０１０８】
ページを表示すると、電子ブック２０は、ユーザから他ユーザの旅行計画内容に基づいて自己の旅行計画ページ情報を変更するか否かの操作を受け付ける（ステップＳ５０８）。
【０１０９】
旅行計画ページ情報を変更しない旨の操作（例えば、ＮＯボタンの押下げ操作）を受け付けたとき（ステップＳ５０８のＮ）には、電子ブック２０は、他ユーザ旅行計画反映処理を終了し、旅行計画ページ情報生成処理に戻る。
【０１１０】
一方で、旅行計画ページ情報を変更する旨の操作を受け付けたとき（ステップＳ５０８のＹ）には、電子ブック２０は、ユーザの操作内容に応じて旅行計画ページ情報を更新する（ステップＳ５０９）。ここで、旅行計画ページ情報を変更する旨の操作としては、例えば、他ユーザの旅行計画内容の一部を空き時間となっている時間に反映させる操作を含む構成とすることができる。また、旅行計画ページ情報を変更する旨の操作として、他ユーザの旅行計画内容そのまま完全にコピーする操作が含まれる構成とされていてもよい。
【０１１１】
ユーザの操作内容に応じて旅行計画ページ情報を更新すると、システム１００は、旅行計画ページ情報生成処理を終了する。
【０１１２】
なお、本例の他ユーザ旅行計画反映処理では、サーバ１０がＩＤ指定された他のユーザに対して送信許可要求を送信する構成としているが、このような構成には限られない。例えば、あらかじめ複数人のユーザ同士（すなわち、ユーザＩＤ）を対応付けしておき、対応付けされたユーザ間では、旅行計画情報ページの閲覧が自由に行えるように構成することができる。すなわち、サーバ１０が、複数のユーザＩＤが対応付けされたユーザＩＤ対応付情報を記憶する記憶部を備え、ユーザからのユーザＩＤを指定した他ユーザの旅行計画ページ情報の閲覧要求を受信したときに、送信元のユーザのユーザＩＤと指定されたユーザのユーザＩＤとが同一のグループに属しているか否かを判定し、同一のグループに属していると判定したときに、指定されたユーザＩＤに対応する電子ブック装置に格納される他のユーザ固有の旅行計画ページ情報を取得し、取得した他のユーザ固有の旅行計画ページ情報を閲覧要求の送信元のユーザの電子ブック２０に対して送信するように構成することができる。このとき、他のユーザ固有の旅行計画ページ情報を受信した電子ブック２０は、受信した他のユーザ固有の旅行計画ページ情報に基づいて他のユーザ固有の旅行計画ページを生成し、表示装置に表示し、ユーザから自己の旅行計画ページ情報に反映する操作を受け付けたことに応じて、当該操作に応じて旅行計画ページ情報を更新するように構成することができる。
【０１１３】
また、上述した実施の形態では、旅行計画ページ情報生成処理において、関連情報更新処理（ステップＳ３００）、街めぐり提案処理（ステップＳ４００）、および他ユーザ旅行計画反映処理（ステップＳ５００）が実行されるように構成されているが、このような構成には限らない。例えば、システム１００における関連情報更新処理（ステップＳ３００）、街めぐり提案処理（ステップＳ４００）、および他ユーザ旅行計画反映処理（ステップＳ５００）は、旅行計画ページ情報が生成された後においては、いつでも実行可能とするように構成されていてもよい。
【０１１４】
なお、上述した実施の形態では特に言及していないが、電子ブック２０は、ステップＳ１０４のＹを経由して旅行計画ページ情報生成処理を実行した場合（すなわち、添付されたパッケージ情報による旅行計画ページ情報生成処理を実行した場合）には、関連情報更新処理、街めぐり提案処理、他ユーザ旅行計画反映処理を実行するとき（または、実行後）にサーバ１０に対してチケット予約を行ってもよい。
【０１１５】
以上に説明したように、上述した実施の形態に係るシステム１００では、電子ブック（例えば電子ブック２０）が、旅行に関する旅行情報と、当該旅行情報の内容に対応する旅行計画が組まれたパッケージ情報の要求操作のためのリンク領域とを含むガイドブックページを表示するためのページ情報を含む電子書籍情報を記憶する記憶部（例えば、電子書籍情報記憶部５１）を備え、電子書籍情報に基づいて表示装置の表示画面に電子書籍を表示し、リンク領域に対する操作を受け付け、リンク領域に対する操作が受け付けられたことに応じて、パッケージ情報を記憶するパッケージ情報記憶手段（例えば、サーバ１０が備えるチケット情報記憶部１２、または電子ブック２０が備える添付パッケージ情報記憶部５３）からパッケージ情報を取得し、当該パッケージ情報に基づいて、旅行計画と旅行計画に関連する旅行計画関連情報とを含む旅行計画ページを表示するための旅行計画ページ情報を生成し、生成した旅行計画ページ情報をページ情報に追加して電子書籍情報を更新し、電子書籍の１ページとしてガイドブックページを表示し、電子書籍の１ページとして旅行計画ページを表示する構成とされている。このような構成によれば、電子的なガイドブックを活かした旅行支援技術を提供することができるようになる。
【０１１６】
特に、１の電子書籍により、ガイドブックとしての機能と、旅行行程に関する情報の表示機能との２つの機能を兼ね備えることができるようになるため、電子的なガイドブックを用いた旅行に関連する情報の生成、閲覧、および管理が容易になるという効果を得ることができるようになる。
【０１１７】
また、上述した実施の形態においてシステム１００では、電子ブック２０が、ガイドブックページにおける旅行計画ページ情報に関連する情報が掲載されている関連箇所を特定し、特定した関連箇所を電子的な付箋を示す付箋情報を付す箇所として関連情報に登録する構成としている。このような構成によれば、電子ブック内のどの箇所に旅行に関連する情報があるかを簡単に把握することができるようになる。そのため、ユーザの利便性が格段に向上し、旅行に関連する情報の管理が容易になるという効果を得ることができるようになる。
【０１１８】
また、上述した実施の形態においてシステム１００では、電子ブック２０が、他のユーザが管理する他の端末にて生成された他のユーザ固有の旅行計画ページ情報を取得し、取得した他ユーザ固有の旅行計画ページ情報に基づいて、旅行計画ページ情報を変更する構成としている。このような構成によれば、旅行計画の選択の幅が広がり、よりユーザが希望する旅行計画を提供することができるようになる。
【０１１９】
また、上述した実施の形態においてシステム１００では、電子ブック１０がユーザからリンク領域に対する操作を受け付けたことに応じて、パッケージ情報により構成されたパッケージツアーの電子チケットの予約要求を旅行支援サーバ１０に送信することにより電子チケットを予約する構成としている。このような構成によれば、ガイドブックに掲載されている情報に対応するツアーを予約することができるようになる。そのため、ユーザに煩雑な操作を要求することなく、希望に沿ったツアー内容のチケットを予約させることができるようになり、チケット予約を促すことができるようになる。
【０１２０】
また、上述した実施の形態では特に言及していないが、電子ブック２０が、ユーザからチケット予約要求操作を受け付けたことに応じて、旅行計画ページ情報の内容に基づいて構成されたパッケージツアーの電子チケットの予約要求を旅行支援サーバに送信することにより電子チケットを予約する構成とされていてもよい。すなわち、電子ブック２０が、リンク領域に対する操作が受け付けられたことに応じて、リンク領域に対応する旅行計画が組まれた仮チケットの要求をサーバ１０に送信し、仮チケットとしてのパッケージ情報をサーバ１０から受信し、さらに、ユーザ情報を含めたチケット予約要求をサーバ１０に送信することにより旅行計画ページ情報の内容によってチケットを予約する構成とされていてもよい。このような構成によれば、納得した旅行計画を組むことができたときにチケットを予約することができるようになる。先に旅行計画ページを作成し、旅行計画ページに沿った内容でチケットを予約することができるようになる。そのため、旅行を計画する機会をより多く提供することができるようになり、旅行頻度の向上につながるという効果を奏することができる。
【０１２１】
なお、上述した実施の形態では特に言及していないが、サーバ１０により送信されるパッケージ情報の内容を更新するための更新情報を受信し、受信した更新情報に基づいて旅行計画ページ情報を更新する構成とされていてもよい。このような構成によれば、その日の状況に応じて臨機応変に旅行計画に変更することが可能となる。例えば、到着した場所における自由行動時間がある場合などには、ツアーのガイド（ツアーの管理者）がその場で集合場所や集合時間を指定する（集合場所や集合時間を更新する）ことができるようになるため、道路の渋滞状況や天気などのその日その場にならなければわからない状況を考慮した旅行計画に変更することができるようになる。
【０１２２】
なお、上述した実施の形態では特に言及していないが、電子ブック２０は、自己位置と次の訪問先との距離が所定の距離となったときに、訪問先の情報を表示する構成とされていてもよい。すなわち、電子ブック２０は、ＧＰＳ信号を受信して自己位置を特定し、次の訪問先の位置を特定し、自己位置と次の訪問先の位置とが所定距離になったか否かを判定し、所定距離になったと判定したときに、次の訪問先の詳細な情報を取得し、取得した詳細な情報を表示装置に表示する構成とすることができる。なお、このときの、詳細情報取得手段は、ＷＥＢページ（特に、特定のメンバーで構成されるグループ内で開示されているＷＥＢページ）から次の訪問先の詳細な情報を取得するように構成されていてもよい。
【０１２３】
なお、上述した実施の形態では特に言及していないが、電子ブック２０は、他ユーザの現在位置を表示する構成とされていてもよい。すなわち、電子ブック２０は、他のユーザのユーザＩＤを指定して当該他ユーザの位置情報の取得要求をサーバ１０に対して送信し、サーバ１０から送信される他ユーザの位置情報を受信し、受信した他ユーザの位置情報に関する情報を表示装置に表示する構成とされていてもよい。
【０１２４】
また、上述した実施の形態では特に言及していないが、電子ブック２０は、カメラで写真や動画を撮影したときに、撮影した位置や施設に関する情報を旅行計画ページと紐付ける構成とすることができる。すなわち、電子ブック２０は、撮影装置を備え、ＧＰＳ信号を受信して自己位置を特定し、撮影した施設と位置に関する撮影情報を特定し、特定した撮影情報と旅行計画ページ情報とを対応付けする構成とされていてもよい。
【０１２５】
さらに、上述した実施の形態では特に言及していないが、電子ブック２０は、カメラで写真や動画を撮影したときに、撮影した写真や動画をＳＮＳなどのＷＥＢページ上に投稿（アップロード）するように構成されていてもよい。
【０１２６】
また、上述した実施の形態では特に言及していないが、電子ブック２０は、撮影された写真や動画の選択をユーザから受け付けると、選択された写真や動画が示す位置情報に基づいて、当該位置情報が示す位置までを目的地とする旅行計画を追加して旅行計画ページ情報を更新するように構成されていてもよい。
【０１２７】
また、上述した実施の形態では特に言及していないが、電子ブック２０は、サーバから旅行パンフレット情報を受信し、電子書籍の１ページとして旅行パンフレット情報を格納し、関連情報の一つとして対応付けて表示する構成とされてもよい。
【０１２８】
なお、上述した実施の形態では、ガイドブックページは、１のリンク領域に対して１のチケットＩＤを対応させる場合を例にして説明を行ったが、１のリンク領域に対して複数のチケットＩＤを対応させるように構成されていてもよい。具体的に言えば、同一の旅行情報（スポット情報）を含みながら、異なる旅行計画がパッケージされたパッケージ情報がチケット情報に含まれるように構成とされていてもよい。このような場合には、サーバ１０がチケットＩＤに対応するチケット情報を全て特定し、電子ブック２０がユーザに提示し選択させるように構成されていればよい。
【産業上の利用可能性】
【０１２９】
本発明は、電子的なガイドブックを活かして、旅行を支援するのに有用である。
【符号の説明】
【０１３０】
１００            旅行支援システム
１０              旅行支援サーバ
１１              記憶部
１２              チケット情報記憶部（パッケージ情報記憶部）
２０〜２Ｎ        旅行支援電子ブック装置
３０              通信ネットワーク
４０              制御部
４１              表示処理部
４２              入力情報処理部
４３              通信処理部
４４              旅行計画ページ情報生成処理部
４５              関連情報更新処理部
５０              記憶部
５１              電子書籍情報記憶部
５２              旅行計画ページ情報記憶部
５３              添付パッケージ情報記憶部（パッケージ情報記憶部）
６０              表示部
７０              通信部
８０              入力部
【要約】
【課題】電子的なガイドブックを活かした旅行支援技術を提供する。
【解決手段】システム１００では、電子ブック２０が、ガイドブックページを表示するためのページ情報を含む電子書籍情報を記憶する電子書籍情報記憶部５１を備え、電子書籍情報に基づいて表示装置の表示画面に電子書籍を表示し、リンク領域に対する操作を受け付け、操作を受け付けたことに応じて、パッケージ情報を記憶するパッケージ情報記憶部からパッケージ情報を受信し、受信したパッケージ情報に基づいて、旅行計画と旅行計画に関連する旅行計画関連情報とを含む旅行計画ページを表示する旅行計画ページ情報を生成し、生成した旅行計画ページ情報をページ情報に追加して電子書籍情報を更新し、電子書籍の１ページとしてガイドブックページを表示し、電子書籍の１ページとして旅行計画ページを表示する
【選択図】図６【図１】
0005537724.tif 000002
【図２】
0005537724.tif 000003
【図３】
0005537724.tif 000004
【図４】
0005537724.tif 000005
【図５】
0005537724.tif 000006
【図６】
0005537724.tif 000007
【図７】
0005537724.tif 000008
【図８】
0005537724.tif 000009
【図９】
0005537724.tif 000010
【図１０】
0005537724.tif 000011
【図１１】
0005537724.tif 000012
【図１２】
0005537724.tif 000013
【図１４】
0005537724.tif 000014
【図１５】
0005537724.tif 000015
【図１６】
0005537724.tif 000016
【図１７】
0005537724.tif 000017
【図１３】
0005537724.tif 000018